【手続補正書】
【提出日】平成20年1月17日(2008.1.17)
【手続補正１】
【補正対象書類名】特許請求の範囲
【補正対象項目名】全文
【補正方法】変更
【補正の内容】
【特許請求の範囲】
【請求項１】
通信接続を形成するためプラグを受け入れるように構成された通信ジャックであって、
複数のジャック接触子であって、該ジャック接触子は、前記ジャック内に配置された金属製片持ち梁から構成され、各々の接触子は、少なくとも第１の表面と第２の表面とを有し、前記プラグが前記ジャックにより受け入れられたとき、複数のプラグ接触子は前記複数のジャック接触子の前記第１の表面とのインターフェースを形成する、前記複数のジャック接触子と、
近傍端部のクロストークを補償するため前記複数のジャック接触子の２つの対の間で接続された第１の容量性カップリングであって、該第１の容量性カップリングは、前記第２の表面に沿って前記ジャック接触子の対に接続され、該第２の表面に隣接して前記プラグ接触子は前記ジャック接触子とのインターフェースを形成する、前記第１の容量性カップリングと、
を備える、通信ジャック。
【請求項２】
前記プラグは、容量性構成要素及び誘導性構成要素を有する、連係するプラグカップリングを持ち、第１の周波数において、前記第１の容量性カップリングは、前記プラグカップリングよりも容量において大きいが、極性が略反対である、請求項１に記載の通信ジャック。
【請求項３】
前記第１の周波数において、前記第１の容量性カップリングは、前記プラグカップリングの容量の大きさの約２倍の容量を持っている、請求項２に記載の通信ジャック。
【請求項４】
前記第１の容量性カップリングは、前記プラグ接触子が前記ジャック接触子とインターフェースを形成するところと正反対のところで前記ジャック接触子に接続されている、請求項１に記載の通信ジャック。
【請求項５】
前記第１の容量性カップリングは、前記ジャックの回路経路３：５及び４：６の間で接続されている、請求項１に記載の通信ジャック。
【請求項６】
前記ジャック接触子と電気的に接続された第２の容量性カップリングを更に備える、請求項１に記載の通信ジャック。
【請求項７】
前記プラグは、容量性構成要素及び誘導性構成要素を有する、連係するプラグカップリングを持ち、前記第２の容量性カップリングは、前記第１の容量性カップリングと極性が略反対であり、前記プラグカップリングと極性が略同一である、請求項６に記載の通信ジャック。
【請求項８】
前記第１の容量性カップリングから、前記プラグ接触子が前記ジャック接触子とインターフェースを形成するところまでの電流経路は、前記第２の容量性カップリングから、前記プラグ接触子が前記ジャック接触子とインターフェースを形成するところまでの電流経路よりも短い、請求項６に記載の通信ジャック。
【請求項９】
前記第１の容量性カップリングは、前記ジャックの回路経路３：５及び４：６の間で接続され、前記第２の容量性カップリングは、前記ジャックの回路経路３：４及び５：６の間で接続されている、請求項６に記載の通信ジャック。
【請求項１０】
印刷回路基板上に誘導性及び容量性のトレースパターンを有する遠方端部クロストーク補償領域を更に備えている、請求項６に記載の通信ジャック。
【請求項１１】
前記第１の容量性カップリングは、フレキシブル電気コンダクターを用いて前記ジャック接触子に取り付けられた第１の印刷回路基板上に配置されている、請求項１に記載の通信ジャック。
【請求項１２】
前記印刷回路基板はフレキシブルであり、該基板が前記プラグの前記ジャックへの挿入時に形状を変化させることを可能にしている、請求項１１に記載の通信ジャック。
【請求項１３】
前記第１の印刷回路基板は、溶接により前記第２の表面に取り付けられている、請求項１１に記載の通信ジャック。
【請求項１４】
前記第１の印刷回路基板は、半田プラグにより前記第２の表面に取り付けられている、請求項１１に記載の通信ジャック。
【請求項１５】
前記ジャック接触子の少なくとも一部分は、半田付けのため予めスズメッキされている、請求項１４に記載の通信ジャック。
【請求項１６】
ジャック及びプラグから構成された通信コネクターのためのクロストーク補償装置であって、
可撓性部材によりジャック接触子に機械的及び電気的に接続されている印刷回路を備え、前記可撓性部材は、前記印刷回路から延び出しており、前記可撓性部材の各々は、ジャック接触子と設置されたプラグの対応する接触子との間の電気的インターフェースの両側に隣接して取り付けられ、前記ジャック接触子は金属製片持ち梁から構成される、クロストーク補償装置。
【請求項１７】
近傍端部クロストーク（ＮＥＸＴ）補償領域を更に備える、請求項１６に記載のクロストーク補償装置。
【請求項１８】
前記印刷回路は、前記ジャックをネットワークケーブルに接続するコネクターへのネットワーク信号経路の少なくとも一区分を提供する、請求項１６に記載のクロストーク補償装置。
【請求項１９】
前記印刷回路は、容量性補償を提供する、請求項１８に記載のクロストーク補償装置。
【請求項２０】
前記印刷回路は、容量性補償及び誘導性補償を提供する、請求項１８に記載のクロストーク補償装置。
【請求項２１】
前記印刷回路は、フレキシブル印刷回路である、請求項１６に記載のクロストーク補償装置。
【請求項２２】
通信接続を形成するためプラグを受け入れるように構成された通信ジャックであって、
複数のジャック接触子であって、該ジャック接触子は、前記ジャック内に配置された金属製片持ち梁から構成され、前記プラグが前記ジャックにより受け入れられたとき、複数のプラグ接触子は、プラグ／ジャックのインターフェースにおいて、前記複数のジャック接触子の第１の表面とのインターフェースを形成する、前記複数のジャック接触子と、
前記プラグ／ジャックインターフェースの両側に隣接して、前記ジャック接触子の第２の表面に機械的及び電気的に接続された電気コネクターと、
前記電気コネクターに接続されたクロストーク補償構成要素と、
を備える、通信ジャック。
【請求項２３】
前記クロストーク補償構成要素は、容量性カップリングを提供する、請求項２２に記載の通信ジャック。
【請求項２４】
前記容量性カップリングは、前記ジャック接触子に隣接している、請求項２３に記載の通信ジャック。
【請求項２５】
前記電気コンダクターは、該電気コンダクターが電気的に接続されているところの前記プラグ接触子の通信信号電流を運搬する、請求項２２に記載の通信ジャック。
【請求項２６】
前記電気コンダクターは、該電気コンダクターが前記接触子に接続されているところに隣接した位置で曲げられ、前記プラグ／ジャックインターフェースにおいて前記ジャック接触子を備える平面から分岐する方向に向き付けられている、請求項２５に記載の通信ジャック。
【請求項２７】
前記ジャック接触子により伝達される前記通信信号電流のみが、前記プラグ／ジャックインターフェースにおいて前記ジャック接触子を備える平面に略垂直である、請求項２５に記載の通信ジャック。
【請求項２８】
前記クロストーク補償構成要素は、容量性カップリング及び誘導性カップリングの両方を含んでいる、請求項２５に記載の通信ジャック。
【請求項２９】
前記カップリングは、前記電気コンダクターが前記ジャック接触子に接続されているところに隣接している、請求項２５に記載の通信ジャック。
【請求項３０】
前記電気コンダクターは、前記電気通信ケーブルが接続されているところのコンダクターに電気的に接続されている、請求項２５に記載の通信ジャック。